(57)【要約】【課題】外装板を誰もが容易に取り付けることができるように成したマンコンベヤの外装板取付構造を提供する。【解決手段】トラス１にパネル当て板４、ベース６が全長にわたって延びるように固定されている。外装板３には上部外装板支え５、下部外装板支え７が取り付けられている。上部外装支え５は締結部材１１を介してパネル当て板４に着脱可能に固定され、下部外装支え７は締結部材２１を介してベース６に着脱可能に固定されている。【選択図】      図２
2005001852.tif 000002
【特許請求の範囲】
【請求項１】
外装板の内側に固定配置された外装板取付部と、外装板に取り付けられた外装板支持部材と、この外装板支持部材を外装板取付部に着脱可能に固定する固定手段と、を具備することを特徴とするマンコンベヤの外装板取付構造。
【請求項２】
外装板取付部がコンベヤ全長にわたって延びるように設けられ、この外装板取付部の長さ方向の任意の位置に外装板支持部材を固定可能としたことを特徴とする請求項１記載のマンコンベヤの外装板取付構造。
【請求項３】
欄干パネルを支持するパネル支持部が外装板取付部を兼ねることを特徴とする請求項１乃至又は請求項２記載のマンコンベヤの外装板取付構造。
【請求項４】
外装板支持部材が外装板をコンベヤ幅方向に移動しないように支持することを特徴とする請求項１乃至請求項３のいずれかに記載のマンコンベヤの外装板取付構造。
【請求項５】
側部外装板に外装板支持部材を取り付けるための取付部材が固定され、この取付部材を、底部外装板に取り付けられた外装板支持部材が固定される外装板取付部としたことを特徴とする請求項１乃至請求項４のいずれかに記載のマンコンベヤの外装板取付構造。
【請求項６】
外装板取付部がコンベヤ全長にわたって延びるように設けられ、この外装板取付部の長さ方向の任意の位置に照明器具を支持する照明器具支持部材を固定可能としたことを特徴とする請求項１乃至請求項５のいずれかに記載のマンコンベヤの外装板取付構造。
【発明の詳細な説明】
【０００１】
【発明の属する技術分野】
本発明は、エスカレータや動く歩道等のマンコンベヤの外装板取付構造に関し、より詳しくは外装板を誰もが容易に取り付けることができるように成したマンコンベヤの外装板取付構造に関する。
【０００２】
【従来の技術】
従来のマンコンベヤの外装板の取り付けは、図７に示すように、設置現場において、トラス１０１にターンバックル１０２の一端を溶接し、その他端を外装板１０３に溶接した後、ターンバックル１０２の回転部分を回転させて外装板１０３とトラス１０１との間隔の調整を行っていた。
【０００３】
【発明が解決しようとする課題】
上記従来技術の場合、溶接作業はトラス１０１の内側から行っていたため、作業性が悪く、作業に時間がかかるという問題点が有った。また、熟練した技術を持つ人にしか作業が出来ないという問題点が有った。
【０００４】
本発明は上記問題点に鑑みてなされたものであり、その目的は、外装板を誰もが容易に取り付けることができるように成したマンコンベヤの外装板取付構造を提供することにある。
【０００５】
【課題を解決するための手段】
上記目的を達成するために、本発明のマンコンベヤの外装板取付構造は、外装板の内側に固定配置された外装板取付部と、外装板に取り付けられた外装板支持部材と、この外装板支持部材を外装板取付部に着脱可能に固定する固定手段と、を具備することを特徴としている。
【０００６】
【発明の実施の形態】
以下、本発明の一実施形態を図面と共に詳述する。図１は本発明の一実施形態である外装板取付構造を具備したエスカレータの全体側面図、図２は図１のエスカレータの側部縦断面図、図３は図２の上部拡大図、図４は図２の下部拡大図、図５、図６は図１のエスカレータの下部縦断面図である。
【０００７】
図１において、１はトラスで上下の階床間にわたって架け渡されている。このトラス１の内側には多数の踏段（図示せず）を無端状に連結して成る踏段列が設けられており、電動機（図示せず）により駆動されて階床間を循環するようになっている。踏段列の両側には欄干２（一方のみ図示）が立設されている。
【０００８】
トラス１の両側にはそれぞれ複数枚の側部外装板３がエスカレータ長さ方向に並ぶように配されている。図２に示すように、各側部外装板３の上部は、外装板取付部及びパネル支持部としてのパネル当て板４、外装板支持部材としての上部外装板支え５を介してトラス１に取り付けられている。また、各側部外装板３の下部は、外装板取付部としてのダクト６、外装板支持部材としての下部外装板支え７を介してトラス１に取り付けられている。
【０００９】
パネル当て板４はガラス製の欄干パネル８や外デッキ９を支持するためのもので、エスカレータ全長にわたって延びるようにトラス１に固定されており、図３に示すように、その外側面には長さ方向に延びるレール状の溝１０が形成されている。
【００１０】
上部外装板支え５は平面視Ｕの字形に形成され、その下端縁から内側に向けて突出した突出片５ａを有している。上部外装板支え５の一端は、固定手段としての締結部材１１を介してパネル当て板４の溝１０に取り付けられている。また、側部外装板３の上部の内側面にはレール状のダクト１２がエスカレータ長さ方向に延びるように固定されており、このダクト１２には、上部外装板支え５の他端が締結部材１３を介して取り付けられている。
【００１１】
締結部材１１は、頭部がパネル当て板４の溝１０内に収容され上部外装板支え５の一端をエスカレータ幅方向（図３の横方向）に貫通するボルト１４と、このボルト１４に螺着されたナット１５とから成っている。ナット１５を緩めると上部外装板支え５を溝１０に沿って移動させることができ、ナット１５を締めることで上部外装板支え５をパネル当て板４に固定することができる。
【００１２】
ダクト１２は、その内側面に長手方向に延びるスリット状の開口１２ａが形成されている。締結部材１３は、頭部がダクト１２内に収容され開口１２ａ及び上部外装板支え５の他端をエスカレータ幅方向に貫通するボルト１６と、このボルト１６に螺着されたナット１７とから成っている。ナット１７を緩めると上部外装板支え５を開口１２ａに沿って移動させることができ、ナット１７を締めることで上部外装板支え５をダクト１２に固定することができる。
【００１３】
また、上部外装板支え５の突出片５ａにはジャッキボルト１８が螺着されており、その下端はトラス１の上梁１ａの上面に当接している。このジャッキボルト１８を回転させることで上部外装板支え５が上下に移動し、側部外装板３の上下方向の位置調整を行うことができる。
【００１４】
図４に示すように、ダクト６は下面に長さ方向に延びるスリット状の開口６ａが形成されたレール状のもので、トラス１下部の底梁１ｂの下面にベース１９を介して固定されており、エスカレータ長さ方向に延びている。ベース１９は工場で底梁１ｂに固定され、ダクト６は現場で締結部材２０によりベース１９に固定される。
【００１５】
下部外装支え７は正面視逆Ｌ字形に形成され、その上部は固定手段としての締結部材２１を介してダクト６に取り付けられている。この締結部材２１は、下部外装板支え７の上部及び開口６ａを上向きに貫通してダクト６内に突出したボルト２２と、その軸部に螺着されダクト６内に収容された板状のナット２３とから成っており、ボルト２２を締め付けると下部外装板支え７がダクト６に固定され、ボルト２０を緩めると下部外装板支え７がダクト６の長さ方向に移動できるようになる。
【００１６】
また、側部外装板３の下部の内側面には取付部材としてのレール状のダクト２４がエスカレータ長さ方向に延びるように固定されている。このダクト２４は内側面に長さ方向に延びるスリット状の開口２４ａを有しており、側部外装板３の補強材を兼ねている。下部外装板支え７の下部は締結部材２５を介してダクト２４に取り付けられている。
【００１７】
締結部材２５は、頭部がダクト２４内に収容され下部外装板支え７の下部を水平に貫通するボルト２６と、その軸部に螺着されたナット２７とから成っており、ナット２７を締め付けると下部外装板支え７がダクト２４に固定され、ナット２７を緩めると下部外装板支え７がダクト２４の長さ方向に移動できるようになる。
【００１８】
このように、本実施形態では、外装板３の内側に固定配置されたパネル当て板４、ダクト６に締結部材１１、２１を介して上部外装板支え５、下部外装板支え７を固定することで外装板３を取り付けるようにしており、現場における溶接作業が不要であるため、誰もが容易に外装板３を取り付けることができる。
【００１９】
なお、本実施形態では上部外装板支え５、下部外装板支え７が外装板３をエスカレータ幅方向に移動しないように支持するように形成されているため、外装板３の位置をエスカレータ幅方向に調整する作業が不要であり、取り付け作業を作業性良く行うことができる。また、デッキ９は外装板３を全て取り付けた後に外装板３に合わせて固定されるため、デッキ９についてもエスカレータ幅方向の位置調整を不要とすることができる。
【００２０】
また、エスカレータでは、階床間の高さ、建屋の構造等により外装板３の割付位置がエスカレータ長さ方向に変わることになるが、本実施形態ではパネル当て板４、ダクト６がエスカレータ全長にわたって設けられており、外装板３がパネル当て板４、ダクト６に沿ってエスカレータ長さ方向に移動可能であるため、外装板３をエスカレータ長さ方向の任意の位置に取り付けることができる。したがって、エスカレータ毎に外装板３の取付構造を設計する必要がなくなり、手間が省けると共に部品の共通化を図ることができるという利点が有る。
【００２１】
また、本実施形態では、図５に示すように、側部外装板３の内面に固定されたダクト２４を用いて底部外装板２５を取り付けるようにしている。すなわち、底部外装板２５の上面にはエスカレータ長さ方向に延びるレール状のダクト２６が固定されており、その上面には長さ方向に延びるスリット状の開口２６ａが形成されている。ダクト２６は底部外装板２５の撓みを防止する補強材を兼ねている。そして、ダクト２４には正面視Ｌ字形の底部外装板支え２７の上部が締結部材２８を介して取り付けられ、ダクト２６には底部外装板支え２７の下部が締結部材２９を介して取り付けられている。
【００２２】
締結部材２８は、頭部がダクト２４内に収容され底部外装板支え２７の上部を水平に貫通するボルト３０と、その軸部に螺着されたナット３１とから成っており、ナット３１を締め付けると底部外装板支え２７がダクト２４に固定され、ナット３１を緩めると底部外装板支え２７がダクト２４の長さ方向に移動できるようになる。
【００２３】
一方、締結部材２９は、頭部がダクト２６内に収容され底部外装板支え２７の下部を上向きに貫通するボルト３２と、その軸部に螺着されたナット３３とから成っており、ナット３３を締め付けると底部外装板支え２７がダクト２６に固定され、ナット３３を緩めると底部外装板支え２７がダクト２６の長さ方向に移動できるようになる。なお、底部外装板支え２７はダクト２６を下向きに押圧し、底部外装板２５の底面と側部外装板３の下端部との間に隙間が生じるのを防いでいる。
【００２４】
また、本実施形態では、図６に示すように、エスカレータ幅方向に延びる照明器具支持部材としての管状のダクト３４の両端が、締結部材３５を介してダクト６に取り付けられている。締結部材３５は、頭部がダクト３４内に収容されダクト３４の頂壁を上向きに貫通すると共にダクト６内に突出したボルト３６と、ダクト６内に収容されボルト３６の軸部に螺着された板状のナット３７とから成っており、ボルト３６を締め付けるとダクト３４がダクト６に固定され、ボルト３６を緩めるとダクト３４がダクト６の長さ方向に移動できるようになる。ダクト３４には、建屋を照明する照明器具３８がブラケット３９を介して吊り下げ支持されている。
【００２５】
底部外装板２５は照明器具３８に対応する部位が除かれて複数枚に分割された構造となっている。各底部外装板２５にはダクト４０がエスカレータ長さ方向に延びるように固定され、その上面には長さ方向に延びるスリット状の開口４０ａが形成されている。このダクト４０には垂直に延びる側面視コの字形の支持部材４１の下端部が締結部材４２を介して取り付けられている。この支持部材４１の上端部はダクト３４に締結部材４３を介して締結固定されている。
【００２６】
締結部材４２は、頭部がダクト４０内に収容され開口４０ａ及び支持部材４１の下部を上向きに貫通するボルト４３と、その軸部に螺着されたナット４４とから成っており、ナット４４を締め付けると支持部材４１がダクト４０に固定され、ナット４４を緩めると支持部材４１がダクト４０の長さ方向に移動できるようになる。
【００２７】
このような構造によれば、ダクト３４をエスカレータ長さ方向に移動させ、かつ照明器具３８のダクト３４に対する取り付け位置をエスカレータ幅方向に変更することで、照明器具３８を所望の位置に配置することができる。照明器具３８の取り付け位置はエスカレータ毎に異なるが、このような構造によれば、エスカレータ毎に照明器具の取り付け構造を設計する必要が無くなるため、手間が省けると共に部品の共通を図ることができるという利点が有る。
【００２８】
また、照明器具が大型で重量が大きい場合には、照明器具を支持するダクトの本数を増やし、照明器具を囲むように配置するなど、複数のダクトを適宜組み合わせることで、どのような照明器具でも、所望の位置に安定した状態で支持することができる。
【００２９】
なお、本発明の外装板取付構造はエスカレータ以外のマンコンベヤに適用することもできる。
【００３０】
【発明の効果】
以上のように、本発明によれば、外装板を誰もが容易に取り付けることができる。
【図面の簡単な説明】
【図１】本発明の一実施形態である外装板取付構造を具備したエスカレータの全体側面図
【図２】図１のエスカレータの側部縦断面図
【図３】図２の上部拡大図
【図４】図２の下部拡大図
【図５】図１のエスカレータの下部縦断面図
【図６】図１のエスカレータの下部縦断面図
【図７】従来技術の説明図
【符号の説明】
３  側部外装板
４  パネル当て板（外装板取付部、パネル支持部）
６  ベース（外装板取付部）
５  上部外装板支え（外装板支持部材）
７  下部外装板支え（外装板支持部材）
１１  締結部材（固定手段）
２１  締結部材（固定手段）
【図１】
2005001852.tif 000003
【図２】
2005001852.tif 000004
【図３】
2005001852.tif 000005
【図４】
2005001852.tif 000006
【図５】
2005001852.tif 000007
【図６】
2005001852.tif 000008
【図７】
2005001852.tif 000009